(57)【特許請求の範囲】
【請求項１】
内水圧が作用するコンクリート製水路部の接合端部分相互を、周方向に連続して、弾力性を有するゴム質素材からなる弾性接合部材で接合する可撓性耐震接合構造であって、
前記弾性接合部材は、水路の内面側から水路外方に向けて細くなるように、地震力の作用による接合端部分の離間を吸収する突の断面V 字状に屈曲する伸縮屈曲部の両端に固定片を連設してなり、又、接合されるべき前記コンクリート製水路部の接合端部分の水路内面側が切欠されて、接合端部分の端部に向けて水路外方に直線状に傾斜する受面が設けられ、隣り合う受面が形成するＶ字状の面が、地震力の作用しない常態において、内水圧を受けた前記伸縮屈曲部の外面の両側を支持するように構成されており、又前記両固定片が、対応の水路部に固定されていることを特徴とする内水圧が作用する水路用の可撓性耐震接合構造。
【請求項２】
内水圧が作用するコンクリート製水路部の接合端部分相互を、周方向に連続して、弾力性を有するゴム質素材からなる弾性接合部材で接合する可撓性耐震接合構造であって、
前記弾性接合部材は、水路の内面側から水路外方に向けて細くなるように、地震力の作用による接合端部分の離間を吸収する突の断面Ｕ字状に屈曲する伸縮屈曲部の両端に固定片を連設してなり、又、接合されるべき前記コンクリート製水路部の接合端部分の水路内面側が切欠されて、接合端部分の端部に向けて水路外方に凹の湾曲面状に傾斜する受面が設けられ、隣り合う受面が形成するＵ字状の面が、地震力の作用しない常態において、内水圧を受けた前記伸縮屈曲部の外面の両側を支持するように構成されており、又前記両固定片が、対応の水路部に固定されていることを特徴とする内水圧が作用する水路用の可撓性耐震接合構造。
【請求項３】
内水圧が作用するコンクリート製水路部の接合端部分相互を、周方向に連続して、弾力性を有するゴム質素材からなる弾性接合部材で接合する可撓性耐震接合構造であって、
前記弾性接合部材は、水路の内面側から水路外方に向けて細くなるように、地震力の作用による接合端部分の離間を吸収する突の断面台形状に屈曲する伸縮屈曲部の両端に固定片を連設してなり、又、接合されるべき前記コンクリート製水路部の接合端部分の水路内面側が切欠されて、接合端部分の端部に向けて水路外方に直線状に傾斜し且つその外端で、水路の延長方向に屈曲した断面Ｌ字状の受面が設けられ、隣り合う受面が形成する台形状の面が、地震力の作用しない常態において、内水圧を受けた前記伸縮屈曲部の外面の両側を支持するように構成されており、又前記両固定片が、対応の水路部に固定されていることを特徴とする内水圧が作用する水路用の可撓性耐震接合構造。
【発明の詳細な説明】
【０００１】
【発明の属する技術分野】
本発明は、内水圧が作用する水路用の可撓性耐震接合構造に関するものであり、より詳しくは、内水圧が作用するコンクリート製水路部の接合端部分相互をゴム質素材からなる弾性接合部材を用いて接合するに際し、接合部分の耐震性を確保して簡易且つ確実に接合できると共に、該接合部分の確実な止水を確保でき、しかも該弾性接合部材の疲労劣化を小さく抑制し得る、内水圧が作用する水路用の可撓性耐震接合構造に関するものである。
【０００２】
【従来の技術】
内水圧が作用するコンクリート製水路部の接合端部分相互を、周方向に連続して、ゴム質素材からなる弾性接合部材で接合する可撓性耐震接合構造の一例としては、例えば図２５に示す可撓性耐震接合構造ａが提案されている。
【０００３】
該可撓性耐震接合構造ａは、コンクリート製ボックスカルバートｂを順次接合して構築された水路部ｃ，ｃの、所要間隔を隔てる接合端部分ｄ，ｄ相互を、周方向に連続して、弾力性を有するゴム質素材からなる矩形環状の弾性接合部材ｅで接合してなるものであり、該弾性接合部材ｅは、水路の内方に突出する断面コ字状に屈曲し、その両角部分ｆ，ｇに折り癖が付けられた伸縮屈曲部ｈの両端に、平板状の固定片ｊ，ｊを連設して構成されていた。又前記ボックスカルバートの接合端部分ｄ，ｄの水路内面側は矩形状に欠切され、固定凹部ｋ，ｋが形成されていた。
【０００４】
そして前記弾性接合部材ｅを両固定凹部ｋ，ｋに固定するには、前記コ字状の伸縮屈曲部ｈを水路の内方に突出させ且つ両固定片ｊ，ｊを、前記固定凹部ｋ，ｋの底面ｍ，ｍに当接状態とし、該底面ｍで植設したアンカーボルトｎを、前記固定片ｊに設けた取付孔ｐに挿通させると共に、突出したネジ軸部にナットｒを螺合し締め付けて、両固定片ｊ，ｊを両固定凹部の底面ｍ，ｍに水密に固定することにより行っていた。これにより接合端部分ｄ，ｄ相互が、周方向に連続する如く前記弾性接合部材ｅで接合状態となり、水路部ｃ，ｃの接合部分ｓを止水できた。
【０００５】
かかる構成の可撓性耐震接合構造ａによるときは、接合部分ｓに未だ地震力が作用していない常態では、図２６に示すように、前記伸縮屈曲部ｈの頂部ｔの全体が内水圧を受け、水路外方に向けてＵ字状に弾性変形することになるが、該Ｕ字状変形部の外面ｕは何ら支持されていない。そして、前記接合部分ｓに大きな地震力が作用して、接合端部分ｄ，ｄが例えば図２７に示すように離れた場合は、前記伸縮屈曲部ｈの全体が内水圧を受け、水路外方に向けて幅広Ｕ字状に弾性変形することになるが、該Ｕ字状変形部の外面ｕは何ら支持されていない。又、接合端部分ｄ，ｄが例えば図２８に示すように段違いに位置ずれした場合は、前記伸縮屈曲部ｈの全体が、内水圧を受け、水路外方に向けて緩く湾曲変形することになるが、この場合も、該湾曲変形部の外面ｕは何ら支持されていない。更に、接合端部分ｄ，ｄ相互が例えば図２９に示すように接近した場合（図２９においては接触状態にある）は、前記伸縮屈曲部ｈが、偏平なループ状に屈曲して水路内方に突出状態となる。
【０００６】
【発明が解決しようとする課題】
前記従来の可撓性耐震接合構造によるときは、接合部分ｓに未だ地震力が作用していない図２６に示す常態についてみると、内水圧が、屈曲変形した伸縮屈曲部ｈのみによって支持されることになり、該伸縮屈曲部ｈの外面ｕは何ら支持されていないために、ゴム質素材からなる弾性接合部材ｅの疲労劣化が生じやすい問題があった。又接合部分ｓに大きな地震力が作用して、図２７に示すように接合端部分ｄ，ｄ相互が離れたり、接合端部分ｄ，ｄが図２８に示すように段違いに位置ずれした場合は、伸縮屈曲部の外面ｕが何ら支持されないことによる前記疲労劣化に加え、伸縮屈曲部ｈの前記両角部分ｆ，ｇが、当初の折り癖が逆方向となるように極端に変形せしめられるために、該両角部分ｆ，ｇに非常に無理な応力が作用することになって、ゴム質素材からなる弾性接合部材ｅの疲労劣化が一層促進される問題があった。このように従来の可撓性耐震接合構造ａによるときは、長期間に亘って安定した接合が得られない欠点があったのである。
【０００７】
又、大きな地震力の作用によって接合端部分ｄ，ｄが接近状態になったときは、コ字状の伸縮屈曲部ｈが、偏平なループ状に屈曲して水路内方に突出状態となるために、前記のように逆向きに大きく屈曲変形する場合に比べれば、弾性接合部材の疲労劣化がそれだけ少ないといえる。しかしながら伸縮屈曲部が偏平なループ状に屈曲する結果、Ｕ字状屈曲部の先端部分ｖが水路面ｗから内方に突出状態となり、その突出部分が抵抗となって流水の流れを阻害する問題があった。又流水に土砂が含まれている場合は、この突出部分が摩耗して損傷を受けることになり、接合部分が強度的に不安定化しやすい問題もあった。
【０００８】
因みに、かかる接合構造は本来は外水圧対応のものであったが、従来においては適当な内水圧対応の可撓性耐震接合構造が存在しなかったために、外水圧対応の構造をそのまま内水圧対応に転用していたのであった。外水圧対応のものであれば、コ字状をなす伸縮屈曲部が、当初の状態から多少変形するだけであるために、弾性接合部材は疲労しにくく何ら問題がなかったのであるが、これを内水圧対応に用いた結果、前記のような逆向き変形が生じて、弾性接合部材の疲労劣化が促進される等の前記重大な問題を発生させたのであった。
【０００９】
【課題を解決するための手段】
前記課題を解決するため、本発明は以下の手段を採用する。
即ち、本発明に係る内水圧が作用する水路用の可撓性耐震接合構造（以下可撓性耐震接合構造という）の第１の態様は、内水圧が作用するコンクリート製水路部の接合端部分相互を、周方向に連続して、弾力性を有するゴム質素材からなる弾性接合部材で接合する可撓性耐震接合構造であって、前記弾性接合部材は、水路の内面側から水路外方に向けて細くなるように、地震力の作用による接合端部分の離間を吸収する突の断面Ｖ字状に屈曲する伸縮屈曲部の両端に固定片を連設してなる。又、接合されるべき前記コンクリート製水路部の接合端部分の水路内面側が切欠されて、接合端部分の端部に向けて水路外方に直線状に傾斜する受面が設けられ、隣り合う受面が形成するＶ字状の面が、地震力の作用しない常態において、内水圧を受けた前記伸縮屈曲部の外面の両側を支持するように構成されており、又前記両固定片が、対応の水路部に固定されていることを特徴とするものである。
【００１０】
又、本発明に係る可撓性耐震接合構造の第２の態様は、内水圧が作用するコンクリート製水路部の接合端部分相互を、周方向に連続して、弾力性を有するゴム質素材からなる弾性接合部材で接合する可撓性耐震接合構造であって、前記弾性接合部材は、水路の内面側から水路外方に向けて細くなるように、地震力の作用による接合端部分の離間を吸収する突の断面Ｕ字状に屈曲する伸縮屈曲部の両端に固定片を連設してなる。又、接合されるべき前記コンクリート製水路部の接合端部分の水路内面側が切欠されて、接合端部分の端部に向けて水路外方に凹の湾曲面状に傾斜する受面が設けられ、隣り合う受面が形成するＵ字状の面が、地震力の作用しない常態において、内水圧を受けた前記伸縮屈曲部の外面の両側を支持するように構成されており、又前記両固定片が、対応の水路部に固定されていることを特徴とするものである。
【００１１】
又、本発明に係る可撓性耐震接合構造の第３の態様は、内水圧が作用するコンクリート製水路部の接合端部分相互を、周方向に連続して、弾力性を有するゴム質素材からなる弾性接合部材で接合する可撓性耐震接合構造であって、前記弾性接合部材は、水路の内面側から水路外方に向けて細くなるように地震力の作用による接合端部分の離間を吸収する突の断面台形状に屈曲する伸縮屈曲部の両端に固定片を連設してなる。又、接合されるべき前記コンクリート製水路部の接合端部分の水路内面側が切欠されて、接合端部分の端部に向けて水路外方に直線状に傾斜し且つその外端で、水路の延長方向に屈曲した断面Ｌ字状の受面が設けられ、隣り合う受面が形成する台形状の面が、地震力の作用しない常態において、内水圧を受けた前記伸縮屈曲部の外面の両側を支持するように構成されており、又前記両固定片が、対応の水路部に固定されていることを特徴とするものである。
【００１２】
【発明の実施の形態】
以下、本発明の実施の形態を図面に基づいて説明する。
〔第１の実施の形態〕
図１〜２において本発明に係る可撓性耐震接合構造１は、内水圧が作用するコンクリート製水路部２，２の接合端部分３，３相互を、周方向に連続して、ゴム質素材からなる弾性接合部材５を用いて接合するものである。内水圧が作用するコンクリート製水路部２の一例としては、例えば、雨水の一時貯留槽に連結された水路部や飲料水を輸送するための水路部を挙げることができ、一時貯留槽から河川への放流をポンプ圧送で行う場合や飲料水を圧送する場合に内水圧が作用する。
【００１３】
前記コンクリート製水路部２は、例えばコンクリート製ボックスカルバート６の多数個を接合一体化して構築されており、例えば２０〜３０ｍ程度の長さを有するものである。そして、該水路部２，２の接合端部分３，３間には、２０ｍｍ程度の隙間が設けられる。
【００１４】
前記弾性接合部材５は例えば図３〜６に示すように、全体が弾力性を有する、クロロプレンゴムやエチレン・プロピレンゴム等の合成ゴムを以って矩形環状に一体に形成されており、水路の内面側から水路外方に向けて細くなるように突の断面Ｖ字状に屈曲する伸縮屈曲部７の両端に、平板状の固定片９，９が連設されている。又該固定片９には、その長さ方向に所要間隔を置いて、例えば１５０ｍｍ程度の間隔を置いて、ボルト孔１０が設けられている。
【００１５】
又、接合されるべき前記コンクリート製水路部２，２の接合端部分３，３の水路内面側は、図３〜６に示すように、前記弾性接合部材５の固定片９を取り付けるための欠切部１１，１１とされている。該欠切部１１は、前記固定片９を嵌め入れて固定するための固定面１２と、該固定面１２の端縁に連設された、接合端部分３の端部１３に向けて水路外方に直線状に傾斜する受面１５とを有し、水路部２，２の接合部分１６に未だ地震力が作用していない図７に示す常態にあっては、隣り合う受面１５，１５が形成するＶ字状の面１７が、内水圧を受けた前記伸縮屈曲部７の外面１９の両側１９ａ，１９ｂを支持するものである。
【００１６】
図５〜６は、接合されるべき前記コンクリート製水路部２，２の接合端部分３，３に形成された、周方向に連続する矩形状の環状凹溝部２１に、前記弾性接合部材５の固定片９，９を嵌め入れて固定した状態を示すものである。前記固定面１２，１２には、周方向に所要間隔をおいて、前記ボルト孔１０と位置合わせして、インサート２２を介してアンカーボルト２３が植設されている。
【００１７】
そして、左右の固定面１２，１２に植設されたアンカーボルト２３を前記ボルト孔１０と、長方形板状をなす押圧板２５の挿通孔２６とに挿通させ、且つナット２７を螺合し締め付けることにより、左右の固定片９，９が前記固定面１２，１２に、水密を確保して固定されている。固定片９をこのように固定した状態において、前記アンカーボルト２３の端部及びナット２７が水路内面に突出しない。
【００１８】
図８〜１０は、かかる構成を有する可撓性耐震接合構造１の作用を説明するものであり、図８は、大きな地震力の作用によって、前記接合端部分３，３が横方向で例えば７０ｍｍ程度離れた状態を示す。この状態で前記伸縮屈曲部７は、内水圧を受けることにより、弾性的に伸びて、当初のＶ字の開き角度が大きくなるようにＵ字状に弾性変形し、そのＵ字状の外面１９の両側１９ａ，１９ｂが前記受面１５，１５で支持されている。
【００１９】
又図９は、前記地震力の作用によって、前記接合端部分３，３が上下方向で例えば１００ｍｍ程度位置ずれした（段違いに位置ずれした）状態を示す。この状態で、前記伸縮屈曲部７は、内水圧を受けることにより、当初のＶ字状形態が一方向に延びた状態に弾性変形し、上側に位置する受面１５ａが、略直線状の片部３１の外面１９を面接触状態で支持している。
【００２０】
又図１０は、前記地震力の作用によって、前記接合端部分３，３相互が接近した状態（図１０では接触状態にある）を示す。この状態で、前記伸縮屈曲部７は、内水圧の作用を受けることにより、当初のＶ字の開き角度が小さくなって、Ｖ字の外面１９の両側１９ａ，１９ｂが前記受面１５，１５で支持され且つ、Ｖ字の両端部分３３，３３が稍盛り上がった状態を呈している。
【００２１】
地震力の作用によって、前記伸縮屈曲部７が図８、図９、図１０に示すように弾性変形するのであるが、いずれの場合も、内水圧を受ける伸縮屈曲部７の外面１９が前記受面１５，１５の双方又は一方によって安定的に支持される。又伸縮屈曲部７の変形状態は、当初のＶ字の原形を保ちながら、或いはその多くの部分を残しながらの変形状態であり、従来構造における図２７や図２８に示すような、折り癖が逆向きになるといった極端な変形は生じない。
【００２２】
このような、伸縮屈曲部が受面で支持されることと、Ｖ字状形態が逆転するような極端な変形は生じないこととによって、伸縮屈曲部７に無理な応力を作用させず、その疲労劣化を生じさせにくい。
【００２３】
〔第２の実施の形態〕
図１１〜１３は、本発明に係る可撓性耐震接合構造１の他の態様を示すものであり、弾性接合部材５は例えば、全体が弾力性を有する、クロロプレンゴムやエチレン・プロピレンゴム等の合成ゴムを以って矩形環状に一体に形成されており、水路の内面側から水路外方に向けて細くなるように突の断面Ｕ字状に屈曲する伸縮屈曲部７の両端に、平板状の固定片９，９が連設されている。又該固定片９には、その長さ方向に所要間隔をおいて、例えば１５０ｍｍ程度の間隔を置いてボルト孔１０が設けられている。
【００２４】
又、接合されるべき前記コンクリート製水路部２，２の接合端部分３，３の水路内面側は、前記弾性接合部材５の固定片９を取り付けるための欠切部１１，１１とされている。該欠切部１１は、前記固定片９を嵌め入れて固定するための固定面１２と、該固定面１２の端縁に連設された、接合端部分の端部１３に向けて水路外方に湾曲面状に傾斜する受面１５とを有し、水路部２，２の接合端部分１６に未だ地震力が作用していない図１４に示す常態にあっては、隣り合う受面１５，１５が形成するＵ字状の面３５が、内水圧を受けた前記伸縮屈曲部７の外面１９の両側１９ａ，１９ｂを支持するものである。
【００２５】
図１２〜１３は、接合されるべき前記コンクリート製水路部２，２の接合端部分３，３に形成された、周方向に連続する環状凹溝部２１に、前記弾性接合部材５の固定片９，９を嵌め入れて固定した状態を示すものである。前記固定面１２，１２には、周方向に所要間隔をおいて、前記ボルト孔１０と位置合わせして、インサート２２を介してアンカーボルト２３が植設されている。
【００２６】
そして、左右の固定面１２，１２に植設されたアンカーボルト２３を前記ボルト孔１０と、長方形板状をなす押圧板２５の挿通孔２６とに挿通させ、且つナット２７を螺合し締め付けることにより、左右の固定片９，９が前記固定面１２，１２に、水密を確保して固定されている。固定片９をこのように固定した状態において、前記アンカーボルト２３の端部及びナット２７が水路内面に突出しない。
【００２７】
図１５〜１７は、かかる構成を有する可撓性耐震接合構造１の作用を説明するものであり、図１５は、大きな地震力の作用によって、前記接合端部分３，３が横方向で例えば７０ｍｍ程度離れた状態を示す。この状態で前記伸縮屈曲部７は、内水圧を受けることにより、弾性的に伸びて、当初のＵ字の開き角度が大きくなるようにＵ字状に弾性変形し、そのＵ字状の外面１９の両側１９ａ，１９ｂが前記受面１５，１５で支持されている。
【００２８】
又図１６は、前記地震力の作用によって、前記接合端部分３，３が上下方向で例えば１００ｍｍ程度位置ずれした（段違いに位置ずれした）状態を示す。この状態で、前記伸縮屈曲部７は、内水圧を受けることにより、当初のＵ字状形態が弾性変形し、上側に位置する湾曲面状の受面１５が、湾曲状態の片部３６の外面１９を面接触状態で支持している。
【００２９】
又図１７は、前記地震力の作用によって、前記接合端部分３，３相互が接近した状態（図１７では接触状態にある）を示す。この状態で、前記伸縮屈曲部７は、内水圧の作用を受けることにより、当初のＵ字の開き角度が小さくなって、Ｕ字の外面１９の両側１９ａ，１９ｂが前記湾曲面状の受面１５，１５で支持され且つ、Ｕ字の両端部分３７，３７が稍盛り上がった状態を呈している。
【００３０】
地震力の作用によって、前記伸縮屈曲部７が図１５、図１６、図１７に示すように弾性変形するのであるが、いずれの場合も、内水圧を受ける伸縮屈曲部７の外面１９が前記受面１５，１５の双方又は一方によって安定的に支持される。又伸縮屈曲部７の変形状態は、当初のＵ字の原形を保ちながら、或いはその多くの部分を残しながらの変形状態であり、従来構造における図２７や図２８に示すような、折り癖が逆向きになるといった極端な変形は生じない。
【００３１】
このような、伸縮屈曲部が受面で支持されることと、Ｕ字状形態が逆転するような極端な変形は生じないこととによって、伸縮屈曲部７に無理な応力を作用させず、その疲労劣化を生じさせにくい。
【００３２】
〔第３の実施の形態〕
図１８〜２０は、本発明に係る可撓性耐震接合構造１のその他の態様を示すものであり、弾性接合部材５は例えば、全体が弾力性を有する、クロロプレンゴムやエチレン・プロピレンゴム等の合成ゴムを以って矩形環状に一体に形成されており、水路の内面側から水路外方に向けて細くなるように突の断面台形状に屈曲する伸縮屈曲部７の両端に、平板状の固定片９，９が連設されている。又該固定片９には、その長さ方向に所要間隔をおいて、例えば１５０ｍｍ程度の間隔を置いてボルト孔１０が設けられている。
【００３３】
又、接合されるべき前記コンクリート製水路部２，２の接合端部分３，３の水路内面側は、前記弾性接合部材５の固定片９を取り付けるための欠切部１１，１１とされている。該欠切部１１は、前記固定片９を嵌め入れて固定するための固定面１２と、該固定面１２の端縁に連設された、接合端部分の端部１３に向けて水路外方に直線状に傾斜し且つその外端で、水路の延長方向に屈曲した断面Ｌ字状の受面１５とを有し、水路部２，２の接合端部分１６に未だ地震力が作用していない図２１に示す常態にあっては、隣り合う受面１５，１５が形成する台形状の面３９が、内水圧を受けた前記伸縮屈曲部７の外面１９の両側１９ａ，１９ｂを支持するものである。
【００３４】
図１９〜２０は、接合されるべき前記コンクリート製水路部２，２の接合端部分３，３に形成された、周方向に連続する環状凹溝部２１に、前記弾性接合部材５の固定片９，９を嵌め入れて固定した状態を示すものである。前記固定面１２，１２には、周方向に所要間隔をおいて、前記ボルト孔１０と位置合わせして、インサート２２を介してアンカーボルト２３が植設されている。
【００３５】
そして、左右の固定面１２，１２に植設されたアンカーボルト２３を前記ボルト孔１０と、長方形板状をなす押圧板２５の挿通孔２６とに挿通させ、且つナット２７を螺合し締め付けることにより、左右の固定片９，９が前記固定面１２，１２に、水密を確保して固定されている。固定片９をこのように固定した状態において、前記アンカーボルト２３の端部及びナット２７が水路内面に突出しない。
【００３６】
図２２〜２４は、かかる構成を有する可撓性耐震接合構造１の作用を説明するものであり、図２２は、大きな地震力の作用によって、前記接合端部分３，３が横方向で例えば７０ｍｍ程度離れた状態を示す。この状態で前記伸縮屈曲部７は、内水圧を受けることにより、弾性的に伸びて、当初の台形状の幅が大きくなるように台形状を呈して弾性変形し、その台形状の外面１９の両側１９ａ，１９ｂが前記受面１５，１５で支持されている。
【００３７】
又図２３は、前記地震力の作用によって、前記接合端部分３，３が上下方向で例えば１００ｍｍ程度位置ずれした（段違いに位置ずれした）状態を示す。この状態で、前記伸縮屈曲部７は、内水圧を受けることにより、当初の台形状形態が弾性変形し、上側に位置するＬ字状の受面１５が、Ｌ字状の片部４０の外面１９を面接触状態で支持している。
【００３８】
又図２４は、前記地震力の作用によって、前記接合端部分３，３相互が接近した状態（図２４では接触状態にある）を示す。この状態で、前記伸縮屈曲部７は、内水圧の作用を受けることにより、当初の台形状の幅が小さくなるように変形し、台形状の外面１９の両側１９ａ，１９ｂが前記Ｌ字状の受面１５，１５で支持され且つ、台形状の両端部分４１，４１が稍盛り上がった状態を呈している。
【００３９】
地震力の作用によって、前記伸縮屈曲部７が図２２、図２３、図２４に示すように弾性変形するのであるが、いずれの場合も、内水圧を受ける伸縮屈曲部７の外面１９が前記受面１５，１５の双方又は一方によって安定的に支持される。又伸縮屈曲部７の変形状態は、当初の台形状の原形を保ちながら、或いはその多くの部分を残しながらの変形状態であり、従来構造における図２７や図２８に示すような、折り癖が逆向きになるといった極端な変形は生じない。
【００４０】
このような、伸縮屈曲部が受面で支持されることと、台形状形態が逆転するような極端な変形は生じないこととによって、伸縮屈曲部７に無理な応力を作用させず、その疲労劣化を生じさせにくい。
【００４１】
〔その他の実施の形態〕
(1) 本発明において前記コンクリート製水路部２は、前記のように、ボックスカルバート等の所要断面形態を有するプレキャストコンクリートブロックを接合一体化して構築されることの他、現場打ち施工によって構築されることもある。
そして、接合されるべきコンクリート製水路部は、双方共がプレキャストコンクリートブロックを接合して構築されたものであることの他、双方共が現場打ち施工によって構築されたものであってもよく、更には、プレキャストコンクリートブロックを接合して構築されたものと現場打ち施工により構築されたものとの組み合わせからなるものであってもよい。
【００４２】
(2) 前記弾性接合部材５の伸縮屈曲部７の断面形態は、本発明の目的を達成し得る限り、前記したＶ字状やＵ字状、台形状を呈するものには特定されない。
【００４３】
【発明の効果】
本発明は以下の如き優れた効果を奏する。
(1) 本発明に係る可撓性耐震接合構造は、弾性接合部材が、弾力性を有する合成ゴム等のゴム質素材からなり可撓性を有するため、コンクリート製水路部の接合部分に大きな地震力が作用して接合端部分が、相互が水平方向で離れたり上下方向で位置ずれした場合も、その伸縮屈曲部の所要の弾性的な伸長によって、地震の振動を吸収でき、又接合端部分が接近した場合も、前記伸縮屈曲部が弾性変形することによって地震の振動を吸収できる。
このようなことから、本発明に係る可撓性耐震接合構造によるときは、接合部分の耐震性を向上させながら、接合部分の確実な止水を達成できることになる。
【００４４】
(2) 又、前記接合端部分が離れたり上下方向で位置ずれした場合には、前記伸縮屈曲部がそれに追随して弾性変形でき、その外面が前記受面の双方又は一方によって安定的に支持されるために、内水圧を伸縮屈曲部だけで受ける場合とは異なり、弾性接合部材の変形量を抑制できる。
しかも、伸縮屈曲部は、水路の内面側から外方に向けて細くなるようにＶ字状やＵ字状或いは台形状に形成されているため、前記接合端部分が離れたり上下方向で位置ずれした場合も、内水圧を受けた伸縮屈曲部が、当初のＶ字状やＵ字状、台形状の原形を保ちながら、或いはその多くの部分を残しながら変形できる。かかることから、従来におけるように、当初の折り癖とは全く逆方向に伸縮屈曲部が無理に変形する（Ｖ字やＵ字の先端部分、台形の角部分等の局部における顕著な変形を招く）といった事態は発生せず、弾性接合部材の疲労劣化を小さく抑制できることとなる。
このようなことから本発明によるときは、長期間に亘って安定した、信頼性の高い可撓性耐震接合構造を構成できることになる。
【００４５】
(3) 又伸縮屈曲部は、従来のように水路内方に向けて突出するのではなく、水路の内面側から水路外方に向けて突出するため、接合端部分が接近した場合も、変形した伸縮屈曲部が、従来におけるように水路内に突出状態になることがなく、従って、変形した伸縮屈曲部が水路水の流れを阻害したり、伸縮屈曲部が、土砂を含む水路水によって損傷を受ける等の恐れもない。
【図面の簡単な説明】
【図１】内水圧が作用するコンクリート製水路部を例示する斜視図である。
【図２】コンクリート製水路部の接合端部分相互を弾性接合部材で接合して構成された可撓性耐震接合構造を示す一部欠切斜視図である。
【図３】コンクリート製水路部の端部の構成を、弾性接合部材と共に示す斜視図である。
【図４】本発明に係る可撓性耐震接合構造を示す分解斜視図である。
【図５】可撓性耐震接合構造を示す斜視図である。
【図６】その断面図である。
【図７】内水圧が作用した常態における可撓性耐震接合構造を示す断面図である。
【図８】コンクリート製水路部の接合端部分が横方向で離れた状態における、可撓性耐震接合構造の伸縮屈曲部の弾性変形状態を示す断面図である。
【図９】コンクリート製水路部の接合端相互が上下方向で位置ずれした場合における、可撓性耐震接合構造の伸縮屈曲部の弾性変形状態を示す断面図である。
【図１０】コンクリート製水路部の接合端部分が接近した状態における、可撓性耐震接合構造の伸縮屈曲部の弾性変形状態を示す断面図である。
【図１１】本発明に係る可撓性耐震接合構造の他の態様を示す分解斜視図である。
【図１２】その可撓性耐震接合構造を示す斜視図である。
【図１３】その断面図である。
【図１４】内水圧が作用した常態における可撓性耐震接合構造を示す断面図である。
【図１５】コンクリート製水路部の接合端部分が横方向で離れた状態における、可撓性耐震接合構造の伸縮屈曲部の弾性変形状態を示す断面図である。
【図１６】コンクリート製水路部の接合端相互が上下方向で位置ずれした場合における、可撓性耐震接合構造の伸縮屈曲部の弾性変形状態を示す断面図である。
【図１７】コンクリート製水路部の接合端部分が接近した状態における、可撓性耐震接合構造の伸縮屈曲部の弾性変形状態を示す断面図である。
【図１８】本発明に係る可撓性耐震接合構造のその他の態様を示す分解斜視図である。
【図１９】その可撓性耐震接合構造を示す斜視図である。
【図２０】その断面図である。
【図２１】内水圧が作用した常態における可撓性耐震接合構造を示す断面図である。
【図２２】コンクリート製水路部の接合端部分が横方向で離れた状態における、可撓性耐震接合構造の伸縮屈曲部の弾性変形状態を示す断面図である。
【図２３】コンクリート製水路部の接合端相互が上下方向で位置ずれした場合における、可撓性耐震接合構造の伸縮屈曲部の弾性変形状態を示す断面図である。
【図２４】コンクリート製水路部の接合端部分が接近した状態における、可撓性耐震接合構造の伸縮屈曲部の弾性変形状態を示す断面図である。
【図２５】内水圧が作用する場合における従来の可撓性耐震接合構造を示す断面図である。
【図２６】内水圧が作用して伸縮屈曲部の頂部がＵ字状に変形した状態を示す断面図である。
【図２７】接合端部分が離れた状態における従来の可撓性耐震接合構造を示す断面図である。
【図２８】接合端部分相互が段違いに位置ずれした場合における従来の可撓性耐震接合構造を示す断面図である。
【図２９】接合端部分相互が接近した場合における従来の可撓性耐震接合構造を示す断面図である。
【符号の説明】
１  可撓性耐震接合構造
２  コンクリート製水路部
３  接合端部分
５  弾性接合部材
７  伸縮屈曲部
９  固定片
１０  ボルト孔
１１  欠切部
１２  固定面
１５  受面
１６  水路部の接合部分
１７  Ｖ字状の面
１９  伸縮屈曲部の外面
２３  アンカーボルト
２５  押圧板
２６  挿通孔
２７  ナット
３５  Ｕ字状の面
３９  台形状の面
【図１】
0003606821.tif 000002
【図２】
0003606821.tif 000003
【図３】
0003606821.tif 000004
【図４】
0003606821.tif 000005
【図５】
0003606821.tif 000006
【図６】
0003606821.tif 000007
【図７】
0003606821.tif 000008
【図８】
0003606821.tif 000009
【図９】
0003606821.tif 000010
【図１０】
0003606821.tif 000011
【図１１】
0003606821.tif 000012
【図１２】
0003606821.tif 000013
【図１３】
0003606821.tif 000014
【図１４】
0003606821.tif 000015
【図１５】
0003606821.tif 000016
【図１６】
0003606821.tif 000017
【図１７】
0003606821.tif 000018
【図１８】
0003606821.tif 000019
【図１９】
0003606821.tif 000020
【図２０】
0003606821.tif 000021
【図２１】
0003606821.tif 000022
【図２２】
0003606821.tif 000023
【図２３】
0003606821.tif 000024
【図２４】
0003606821.tif 000025
【図２５】
0003606821.tif 000026
【図２６】
0003606821.tif 000027
【図２７】
0003606821.tif 000028
【図２８】
0003606821.tif 000029
【図２９】
0003606821.tif 000030